(57)【要約】【課題】簡単な構成で既設の多心光コネクタ１０に適用でき、かつ、確実な接合が行えるようにする。【解決手段】ハウジング５００の一端開口に離脱可能に係合し、第１多心光コネクタ１０ａが挿入されて当該第１多心光コネクタ１０ａを収納保持する第１保持ホルダ４００、第２多心光コネクタ１０に当接して当該第２多心光コネクタ１０ｂを第１多心光コネクタ１０ａ側に付勢するバネ１４０及びガイドピン支持部材３００等からなる付勢手段、ハウジング５００の他端開口に離脱可能に係合して付勢手段を支持する第２保持ホルダ２００とを設ける。【選択図】      図１
2006317496.tif 000002
【特許請求の範囲】
【請求項１】
第１多心光コネクタと第２多心光コネクタとを接合させると共に、その接合状態を保持する多心光コネクタ用接合装置であって、
概略中空角柱体のハウジングと、
該ハウジングの一端開口に離脱可能に係合すると共に、前記第１多心光コネクタが挿入されて当該第１多心光コネクタを収納保持する第１保持ホルダと、
前記第２多心光コネクタに当接して当該第２多心光コネクタを前記第１多心光コネクタ側に付勢する付勢手段と、
前記ハウジングの他端開口に離脱可能に係合して前記付勢手段を支持する第２保持ホルダとを備えることを特徴とする多心光コネクタ用接合装置。
【請求項２】
前記第１保持ホルダは概略中空角柱体であって、前記第２多心光コネクタに向けて挿入された前記第１多心光コネクタを所定量移動可能に収容すると共に、当該第１多心光コネクタと当接して、その離脱規制する離脱規制手段を備えることを特徴とする請求項１記載の多心光コネクタ用接合装置。
【請求項３】
前記第１保持ホルダが、左右の側面片及び上下の面片からなる概略中空角柱体であって、前記左右の側面片の略中央部に矩形状の係止窓が形成されると共に、当該係止窓の窓下部及び窓上部に円弧状の腕押上部が形成され、
前記ハウジングが、前記係止窓の高さより短い腕幅の腕部と、該腕部の先端に設けられて前記係止窓の高さより高い手部と、該手部の内側に形成されて前記係止窓に挿入可能に設けられた突起とからなるホルダ挿着部を備えて、
前記ハウジングと前記第１保持ホルダとを係合又は離合させる際には、前記手部が前記腕押上部に誘導されることにより前記腕部が弾性変形し、前記突起が前記側面片に当接することなく前記係止窓に挿脱するようにしたことを特徴とする請求項１又は２記載の多心光コネクタ用接合装置。
【請求項４】
前記第１保持ホルダにおける上下の面片の端縁が、左右の前記側面片よりはみ出し、当該はみ出し部分が庇部を形成して、前記ハウジングと前記第１保持ホルダとを係合又は離合させる際には、前記手部が当該庇部にガイドされるようにしたことを特徴とする請求項３記載の多心光コネクタ用接合装置。
【請求項５】
前記付勢手段が、前記第２保持ホルダに設けられたバネ保持部に保持されるバネと、
前記第２多心光コネクタにおける光ファイバケーブルの左右両脇に配置される２の押圧部及び各押圧部の後端面に前記バネが当接し、前端面は前記第２多心光コネクタに当接して、前記バネによる付勢力を前記第２多心光コネクタに伝達すると共に、前記押圧部に係着されて前記第２多心光コネクタ及び第１多心光コネクタにおけるガイドピン孔を連通することによりこれら第２多心光コネクタと第１多心光コネクタとの位置合わせを行うガイドピンを備えるガイドピン支持部材とを有することを特徴とする請求項１乃至４いずれか１項記載の多心光コネクタ用接合装置。
【請求項６】
前記第２保持ホルダが、前記ハウジングの一方の開口を閉塞する抑片を備え、該抑片の中央部に前記第２多心光コネクタの光ファイバーケーブルが挿通するファイバケーブル挿通孔が形成されると共に、当該抑片の上下一方の面と該ファイバケーブル挿通孔とを連通させる切込が形成されて、前記光ファイバーケーブルを前記切込を介して前記ファイバケーブル挿通孔に挿通できるようにしたことを特徴とする請求項１乃至５いずれか１項記載の多心光コネクタ用接合装置。
【発明の詳細な説明】
【技術分野】
【０００１】
本発明は、光ファイバが接続された２の多心光コネクタを分解組立てすることなく、簡便、かつ、確実に接合保持できるようにする多心光コネクタ用接合装置に関する。
【背景技術】
【０００２】
今日、複数の光ファイバからなるテープ状心線の多心光ファイバケーブルが多く用いられるようになっており、その接合保持方法も種々提案されている（特許文献１参照）。
【０００３】
このような多心光コネクタの接合保持方法を図７を参照して説明する。多心光コネクタ１０は、テープ状の光ファイバケーブル１２の先端部をプラスチック等からなるコネクタ本体１１に収納した外観構成を有している。このコネクタ本体１１にはゴム等からなるブーツ１３が接続されて、光ファイバケーブル１２の折れ曲がり等による損傷が軽減できるようになっている。
【０００４】
多心光コネクタ１０の接合面２１には、光ファイバケーブル１２を構成する各光ファイバ１４が整列して設けられ、その両サイドにガイドピン孔１５が形成されている。
【０００５】
このような多心光コネクタ１０同士を接続する際には、ガイドピン孔１５にガイドピン２２を挿嵌することにより２の多心光コネクタ１０の位置合わせを行い接合面２１を当接させ、この状態を保持するためにバネ材のクランプスプリング１６で双方のコネクタ本体１１を挟持する。
【０００６】
一方、クランプスプリング１６による２の多心光コネクタの接合状態保持機構に変えて、いわゆるＭＰＯコネクタと称される構成も提案されている。図８はこのようなＭＰＯコネクタ２５の接合方法示す図で、２のＭＰＯコネクタ２５がアダプタ１９を介して接続されるようになっている。なお、図８においては他方のＭＰＯコネクタは図示省略している。
【０００７】
ＭＰＯコネクタ２５は、上述したコネクタ本体１１を収容するハウジング１７、該ハウジング１７が挿入されて、内設された図示しないバネによりアダプタ１９側に付勢されたカップリング１８を備えている。
【０００８】
そして、コネクタ本体１１をアダプタ１９の開口２０に挿入すると、カップリング１８とアダプタ１９とが係合する。また、カップリング１８をアダプタ１９と逆の方向に引き戻すように引くとカップリング１８とアダプタ１９との係合が解除されるようになっている。
【特許文献１】特開平１０−１６０９６８号公報
【発明の開示】
【発明が解決しようとする課題】
【０００９】
しかしながら、上述した多心光コネクタ用接合装置では以下のような不都合があり改善が望まれていた。
【００１０】
即ち、図９に示すようにクランプスプリング１６における保持力に不均一性が生じたり、当該保持力の作用線Ｓが光ファイバ１４からずれたりすると、左右のコネクタ本体１１に傾きが発生して、双方の接合面２１に隙間が発生したり密接度合いが変化したりして接合不良を発生してしまう問題があった。なお、図９（ａ）はクランプスプリング１６における保持力の作用線Ｓが、光ファイバ１４と一致している場合を示し、図９（ｂ）はクランプスプリング１６における保持力の作用線Ｓが、光ファイバ１４とずれている場合を示している。
【００１１】
また、クランプスプリング１６を用いて２の多心光コネクタ１０の接合状態を保持する構成においては、クランプスプリング１６の取付、取外しのために専用工具が必要になり作業効率を向上させることが困難であった。
さらに、クランプスプリング１６は、むき出しの状態であるため、作業中等において引っかかって位置がずれたりする恐れがあった。
【００１２】
一方、ＭＰＯコネクタ２５では、少なくともコネクタ本体１１をハウジング１７に挿着する際には、ハウジング１７を光ファイバーケーブル１２の開放端から挿着する必要があるので、コネクタ本体１１が既に敷設されているような場合には当該開放端がないため、その状態でＭＰＯコネクタ２５に組み立てることができない問題がある。即ち、既設の多心光コネクタ１０を組立てられたＭＰＯコネクタ２５に交換等する必要がある。
また、ＭＰＯコネクタ２５は構造が非常に複雑であるため、コストダウンが図り難い問題もある。
【００１３】
そこで、本発明は、簡単な構成で既設の多心光コネクタに適用でき、かつ、確実な接合が行えるようにした脱着可能な多心光コネクタ用接合装置を提供することを目的とする。
【課題を解決するための手段】
【００１４】
上記課題を解決するため、請求項１に係る発明は、第１多心光コネクタと第２多心光コネクタとを接合させると共に、その接合状態を保持する多心光コネクタ用接合装置であって、概略中空角柱体のハウジングと、該ハウジングの一端開口に離脱可能に係合すると共に、第１多心光コネクタが挿入されて当該第１多心光コネクタを収納保持する第１保持ホルダと、第２多心光コネクタに当接して当該第２多心光コネクタを第１多心光コネクタ側に付勢する付勢手段と、ハウジングの他端開口に離脱可能に係合して付勢手段を支持する第２保持ホルダとを備えることを特徴とする。
【００１５】
これにより、第１多心光コネクタ及び第２多心光コネクタを分解等することなく、第１多心光コネクタを第１保持ホルダに挿入して保持し、第２多心光コネクタをハウジングに挿入して付勢手段を介して第２保持ホルダにより保持するので、付勢手段の付勢力で双方の接合面を均一にかつ確実に面接させることが可能になると共に、容易に当該接続を解除することが可能になる。
【００１６】
また、請求項２に係る発明は、第１保持ホルダは概略中空角柱体であって、第２多心光コネクタに向けて挿入された第１多心光コネクタを所定量移動可能に収容すると共に、当該第１多心光コネクタと当接して、その離脱規制する離脱規制手段を備えることを特徴とする。
【００１７】
また、請求項３に係る発明は、第１保持ホルダが、左右の側面片及び上下の面片からなる概略中空角柱体であって、左右の側面片の略中央部に矩形状の係止窓が形成されると共に、当該係止窓の窓下部及び窓上部に円弧状の腕押上部が形成され、ハウジングが、係止窓の高さより短い腕幅の腕部と、該腕部の先端に設けられて係止窓の高さより高い手部と、該手部の内側に形成されて係止窓に挿入可能に設けられた突起とからなるホルダ挿着部を備えて、ハウジングと第１保持ホルダとを係合又は離合させる際には、手部が腕押上部に誘導されることにより腕部が弾性変形し、突起が側面片に当接することなく係止窓に挿脱するようにしたことを特徴とする。
【００１８】
また、請求項４に係る発明は、第１保持ホルダにおける上下の面片の端縁が、左右の側面片よりはみ出し、当該はみ出し部分が庇部を形成して、ハウジングと第１保持ホルダとを係合又は離合させる際には、手部が当該庇部にガイドされるようにしたことを特徴とする。
【００１９】
また、請求項５に係る発明は、付勢手段が、第２保持ホルダに設けられたバネ保持部に保持されるバネと、第２多心光コネクタにおける光ファイバケーブルの左右両脇に配置される２の押圧部及び各押圧部の後端面にバネが当接し、前端面は第２多心光コネクタに当接して、バネによる付勢力を第２多心光コネクタに伝達すると共に、押圧部に係着されて第２多心光コネクタ及び第１多心光コネクタにおけるガイドピン孔を連通することによりこれら第２多心光コネクタと第１多心光コネクタとの位置合わせを行うガイドピンを備えるガイドピン支持部材とを有することを特徴とする。
【００２０】
また、請求項６に係る発明は、第２保持ホルダが、ハウジングの一方の開口を閉塞する抑片を備え、該抑片の中央部に第２多心光コネクタの光ファイバーケーブルが挿通するファイバケーブル挿通孔が形成されると共に、当該抑片の上下一方の面と該ファイバケーブル挿通孔とを連通させる切込が形成されて、光ファイバーケーブルを切込を介してファイバケーブル挿通孔に挿通できるようにしたことを特徴とする。
【発明の効果】
【００２１】
本発明によれば、概略中空角柱体のハウジングと、該ハウジングの一端開口に離脱可能に係合すると共に、第１多心光コネクタが挿入されて当該第１多心光コネクタを収納保持する第１保持ホルダと、第２多心光コネクタに当接して当該第２多心光コネクタを第１多心光コネクタ側に付勢する付勢手段と、ハウジングの他端開口に離脱可能に係合して付勢手段を支持する第２保持ホルダとを備えたので、第１多心光コネクタ及び第２多心光コネクタを分解等することなく、第１多心光コネクタを第１保持ホルダに挿入して保持し、第２多心光コネクタをハウジングに挿入して付勢手段を介して第２保持ホルダにより保持するので、付勢手段の付勢力で双方の接合面を均一にかつ確実に面接させることが可能になると共に、容易に当該接続を解除することが可能になる。
【発明を実施するための最良の形態】
【００２２】
本発明の最良の実施の形態を図を参照して説明する。図１は、本発明に係る多心光コネクタ用接合装置１の分解斜視図で、概略中空角柱体のハウジング５００、該ハウジング５００の一端に挿着される第２保持ホルダ２００、第２保持ホルダ２００に設けられたバネ保持部２０７に支持されるバネ１４０、このバネ１４０により押圧されるガイドピン支持部材３００、ガイドピン支持部材３００に挿嵌するガイドピン１５０、ハウジング５００の他端に挿着される第１保持ホルダ４００を備えている。
【００２３】
多心光コネクタ１０は、従来と同一構成であり、複数の光ファイバ１４が列設されてなるテープ状の光ファイバケーブル１２の先端部がコネクタ本体１１に収納され、接合面２１には各光ファイバ１４がＰＣ研磨等されて覗いている。
このコネクタ本体１１にはゴム等からなるブーツ１３が設けられ、ブーツ１３の両サイド位置にはコネクタ本体１１を貫通するガイドピン孔１５が形成されている。
【００２４】
このブーツ１３が設けられている面をブーツ面３１と記載する。また、コネクタ本体１１は、接合面２１を含む先端部１１ａとブーツ面３１を含むフランジ部１１ｂとにより形成され、フランジ部１１ｂは先端部１１ａより適宜大きな寸法に形成されている。
【００２５】
以下、説明の都合上、接合する２の多心光コネクタ１０のうち、第１保持ホルダ４００側の多心光コネクタ１０を第１多心光コネクタ１０ａ、第２保持ホルダ２００側の多心光コネクタ１０を第２多心光コネクタ１０ｂと記載し、これらを総称して多心光コネクタ１０と記載する。
【００２６】
第２保持ホルダ２００は、抑片２０１及びその両端に連設された把持片２０２を備えた上面視概略コ字状の部材で、両把持片２０２には係止窓２０３が形成されている。また、抑片２０１の中央部にはファイバケーブル挿通孔２０４が形成されると共に、このファイバケーブル挿通孔２０４に連通して切込２０６が形成されている。
そして、ファイバケーブル挿通孔２０４の両サイドには上述したバネ保持部２０７が立設され、バネ１４０の一端がこのバネ保持部２０７に嵌合して保持され、かつ、伸縮する際にガイドされるようになっている。
【００２７】
ガイドピン支持部材３００は、板状部材を折曲げして形成されて、左右に矩形枠体の押圧部３０１が形成され、この左右の押圧部３０１が上面片３０２により連結された構成となっている。上面片３０２の下方空間、即ち左右の押圧部３０１の間の空間は、第２多心光コネクタ１０ｂの光ファイバケーブル１２やブーツ１３が挿通する挿通溝３０３をなし、上面片３０２と押圧部３０１の側面片３０４とには、端部が円弧状のガイドピン係合溝３０６が連設されている。
【００２８】
ガイドピン１５０は円柱体をなし、一方の端部近傍に凹溝１５１が環状に形成されている。なお、ガイドピン支持部材３００，バネ１４０，ガイドピン１５０により付勢手段が構成されている。
【００２９】
そして、この凹溝１５１を境としたガイドピン１５０の寸法Ｌ１，Ｌ２は、上面片３０２の寸法Ｌ３及び第２多心光コネクタ１０ｂの寸法Ｌ４との間にＬ１≦Ｌ３及びＬ２＞Ｌ４の関係を満たすように設定されている。また、凹溝１５１の直径Ｄ１とガイドピン係合溝３０６の幅Ｄ２とは、Ｄ１≧Ｄ２の関係に設定されている。
【００３０】
寸法関係Ｌ１≦Ｌ３が成り立ち、かつ、Ｄ１≧Ｄ２が成り立つことにより、ガイドピン係合溝３０６にガイドピン１５０の凹溝１５１が嵌合し、凹溝１５１の直径Ｄ１がガイドピン係合溝３０６の幅Ｄ２より適宜大きいため、ガイドピン１５０が嵌合した状態でガイドピン支持部材３００を上下反転させてもガイドピン１５０は落ちない。これにより、組立て性が向上して現場での作業性効率を上げることが可能になる。
【００３１】
また、寸法関係Ｌ１≦Ｌ３及びＬ２＞Ｌ４が成り立つことにより、後述するようにガイドピン１５０を第２多心光コネクタ１０ｂのガイドピン孔１５に挿入すると、当該ガイドピン１５０の先端部が第２多心光コネクタ１０ｂの接合面２１側から飛び出すようになる。従って、この飛び出したガイドピン１５０が第１多心光コネクタ１０ａのガイドピン孔１５に挿入されることにより、第１多心光コネクタ１０ａと第２多心光コネクタ１０ｂとの位置決を行うことが可能になる。
【００３２】
第１保持ホルダ４００は、上下面片４０２及び左右側面片４０３からなる断面概略矩形状の筒体で、内部空間が第１多心光コネクタ１０ａの挿入されるコネクタ空間４０１をなしている。
上下面片４０２における左右端部は、左右側面片４０３より適宜飛び出して庇部４０４が形成され、第１多心光コネクタ１０ａが挿入される端部近傍の上下面片４０２にはコ字状のスリット４０５が設けられてコネクタ係止部４０６が形成されている。
【００３３】
そして、コネクタ係止部４０６におけるコネクタ空間４０１側の端部には、第１多心光コネクタ１０ａの挿入側が斜辺をなす側面視概略直角三角形状のコネクタ抑４０７が設けられている。このコネクタ抑４０７は第１多心光コネクタ１０ａをコネクタ空間４０１に挿着した際に、このコネクタ抑４０７がブーツ面３１に当接することにより第１多心光コネクタ１０ａが抜出ないように作用する。
【００３４】
また、左右側面片４０３には、矩形状の係止窓４１０が形成されると共に、その外側には円弧状の腕押上部４１１が形成され、内面側には第１多心光コネクタ１０ａのフランジ部１１ｂと当接する飛出規制部４１２が形成されている。この飛出規制部４１２及びコネクタ抑４０７により離脱規制手段が構成されている。
なお、腕押上部４１１の高さＶ１は係止窓４１０の高さＶ２より適宜小さい寸法に形成され（Ｖ１≦Ｖ２）ている。この理由については後述する。
【００３５】
ハウジング５００は、第２保持ホルダ２００が係合する第２保持ホルダ係合部５０１、第２多心光コネクタ１０ｂやガイドピン支持部材３００等が収容されるハウジング本体部５０２、第１保持ホルダ４００が係合するホルダ挿着部５０３を備えた概略中空角柱体である。
【００３６】
第２保持ホルダ係合部５０１における左右の肉厚は、第２保持ホルダ２００における把持片２０２の肉厚分だけハウジング本体部５０２より薄く形成されて、その側面片５１０の外側に突起５０４が形成されている。
【００３７】
ホルダ挿着部５０３は、ハウジング本体部５０２の側面片を細くして延設された腕部５１１、腕部５１１の先端に設けられた手部５１２、手部５１２の内側に形成された突起５１３を備え、手部５１２の外面先端は内側に傾斜した斜面５１４をなしている。
【００３８】
次に、このような多心光コネクタ用接合装置１を用いて現場で２の多心光コネクタを接続する際の手順を説明する。
【００３９】
図２は多心光コネクタ用接合装置１の分解断面図であり、図３は接続手順を示す各部材の平面断面図である。先ず、図３（ａ）に示すように、第２保持ホルダ２００のバネ保持部２０７にバネ１４０の一端を挿嵌する。
また、ガイドピン支持部材３００におけるガイドピン１５０を第２多心光コネクタ１０ｂに挿着する。図４はガイドピン支持部材３００を第２多心光コネクタ１０ｂに挿着する際の手順を示した図で、ガイドピン１５０の凹溝１５１をガイドピン係合溝３０６に挿嵌して取付ける（図４（ｂ））。
次に、ガイドピン１５０を第２多心光コネクタ１０ｂのガイドピン孔１５に挿入しながら第２多心光コネクタ１０ｂの光ファイバケーブル１２を挿通溝３０３に通す（図４（ｃ））。ガイドピン１５０は第２多心光コネクタ１０ｂより長いため、当該ガイドピン１５０の先端は第２多心光コネクタ１０ｂの接合面２１から飛び出した状態となる（図４（ｄ））。
【００４０】
次に、図３（ｂ）に示すように、第２保持ホルダ２００をケーシング５００の第２保持ホルダ係合部５０１に挿着する。把持片２０２には係止窓２０３が形成され、第２保持ホルダ係合部５０１には突起５０４が形成されており、係止窓２０３が突起５０４に嵌ることにより第２保持ホルダ２００とケーシング５００との係合が行われる。
【００４１】
なお、突起５０４の水平断面は、第２保持ホルダ２００の挿入側辺が斜辺をなし、係止側辺が挿入方向に垂直な辺をなす台形状に形成されているため、挿入すると把持片２０２は斜辺に当接して拡がり、係止窓２０３が突起５０４に嵌ると垂直な辺により離脱規制されるようになっている。
【００４２】
把持片２０２と第２保持ホルダ係合部５０１との肉厚の和は、第２保持ホルダ２００の挿入側におけるハウジング本体部５０２の肉厚と略等しくなるように設定されているので、把持片２０２の端縁が作業者の手や工具等に引っかかって、係止窓２０３と突起５０４との係合が解除されてしまう事態が抑制できるようになっている。
【００４３】
また、図３（ａ）に示すように、第１多心光コネクタ１０ａを第１保持ホルダ４００に挿着する。図５はそのときの様子を示す図で、第１多心光コネクタ１０ａを第１保持ホルダ４００に挿入するとフランジ部１１ｂの縁端がコネクタ抑４０７に当接し（図５（ａ），図５（ｂ））、さらに挿入するとコネクタ抑４０７は弾性変形して押上げられ、ブーツ面３１がコネクタ抑４０７を通過して復元する（図５（ｃ））。
【００４４】
これにより第１多心光コネクタ１０ａが後退しようとしてもブーツ面３１がコネクタ係止部４０６に当接して後退が規制されるため第１保持ホルダ４００から離脱することができない。
また、第１多心光コネクタ１０ａの挿入先には、第１多心光コネクタ１０ａのフランジ部１１ｂより適宜寸法の小さい飛出規制部４１２が設けられているので、第１多心光コネクタ１０ａはこの挿入方向に抜出ることもできないようになっている。
【００４５】
なお、コネクタ抑４０７と飛出規制部４１２との間の距離Ｋ１は、フランジ部１１ｂの厚みＫ２より大きな寸法に設定されている。従って、第１保持ホルダ４００に挿入された第１多心光コネクタ１０ａは、第１保持ホルダ４００内でδＫ＝Ｋ１−Ｋ２の範囲内で移動可能に保持される。
【００４６】
最後に、図３（ｃ）に示すように、第１保持ホルダ４００とケーシング５００とを係合する。このときの手順を図６を参照して説明する。
先ず、ケーシング５００における腕部５１１の先端に設けられた手部５１２を第１保持ホルダ４００に宛う（図６（ａ），図６（ｂ））。
【００４７】
手部５１２の高さｈ１は、第１保持ホルダ４００の側面片４０３の高さｈ２より適宜小さめに形成されると共に、対向する腕押上部４１１の距離ｈ３より大きい寸法に形成されている（ｈ３＜ｈ１＜ｈ２）。
従って、第１保持ホルダ４００に手部５１２を宛い挿入すると、手部５１２は腕押上部４１１に当接し、そのときの当接力により腕部５１１が弾性変形して手部５１２が押広げられる。
このとき手部５１２における突起５１３の高さｈ４は、対向する腕押上部４１１の距離ｈ３より小さい寸法に設定されているので（ｈ４＜ｈ３）、手部５１２を挿入する際に突起５１３の係合端Ｐ１が側面片４０３を摺動して摩耗したりすることが防止できるようになっている。
【００４８】
手部５１２をさらに挿入すると当該手部５１２の後端Ｐ２が腕押上部４１１を通過し、これにより手部５１２は閉じて（復元して）、突起５１３が係止窓４１０に挿入される（図６（ｃ）〜図６（ｅ））。
【００４９】
突起５１３の高さｈ６は係止窓４１０の厚みｈ７より長い寸法に設定されているので、突起５１３の先端部分はコネクタ空間４０１に飛び出した状態となっている。
【００５０】
このときバネ１４０により第２多心光コネクタ１０ｂが付勢されていると、その付勢力により第２多心光コネクタ１０ｂは後退する。
【００５１】
第２多心光コネクタ１０ｂのブーツ面３１は当接して係止されるが、上述したようにコネクタ空間４０１に飛び出した突起５１３の先端部分によっても係止されるようになる。即ち、矩形状をなすブーツ面３１の４辺は、コネクタ抑４０７及び突起５１３と当接する。
従って、第２多心光コネクタ１０ｂは、バネ１４０からの付勢力が軸心からずれていても傾いたりすることがなく、第１多心光コネクタ１０ａと第２多心光コネクタ１０ｂとが接合面２１の全体で均一に面接させることが可能となる。
【００５２】
なお、図６に示す手順と逆の手順を行うことにより、第１多心光コネクタ１０ａは突起５１３に損傷を与えることなく取り外すことが可能になる。無論、第２保持ホルダ２００における把持片２０２を引き起こして、係止窓２０３と突起５０４との係合を解除することによって第２多心光コネクタ１０ｂに損傷を与えることなく取り外すことが可能になる。
【００５３】
従って、既設の多心光コネクタであっても、その多心光コネクタに細工等を加えることなく容易に接合することができ、かつ、この多心光コネクタ用接合装置の構成部品点数が少なく、簡単な構成であるため安価となる。
【図面の簡単な説明】
【００５４】
【図１】本発明にかかる多心光コネクタ用接合装置の分解斜視図である。
【図２】多心光コネクタ用接合装置の分解断面図である。
【図３】多心光コネクタ用接合装置の組み立て手順をします断面図である。
【図４】ガイドピン支持部材を第２多心光コネクタに挿着する際の手順を示した図である。
【図５】第１多心光コネクタを第１保持ホルダに挿着する際の手順を示した図である。
【図６】ハウジングと第１保持ホルダとの接続手順を示す図である。
【図７】従来のクランプスプリングを用いて２の多心光コネクタを接合する際の様子を示す斜視図である。
【図８】従来のアダプタを用いて２のＭＰＯコネクタを接合する際の様子を示す斜視図である。
【図９】クランプスプリングを用いて２の多心光コネクタを接合する際の問題を説明する図である。
【符号の説明】
【００５５】
１０  多心光コネクタ
１０ａ  第１多心光コネクタ
１０ｂ  第２多心光コネクタ
１１  コネクタ本体
１１ａ  先端部
１１ｂ  フランジ部
１２  光ファイバケーブル
１３  ブーツ
１４  光ファイバ
１５  ガイドピン孔
２１  接合面
３１  ブーツ面
１４０  バネ
１５０  ガイドピン
１５１  凹溝
２００  第２保持ホルダ
２０１  抑片
２０２  把持片
２０３  係止窓
２０４  ファイバケーブル挿通孔
２０６  切込
２０７  バネ保持部
３００  ガイドピン支持部材
３０１  押圧部
３０２  上面片
３０３  挿通溝
３０４  側面片
３０６  ガイドピン係合溝
４００  第１保持ホルダ
４０１  コネクタ空間
４０２  上下面片
４０３  側面片
４０４  庇部
４０５  スリット
４０６  コネクタ係止部
４０７  コネクタ抑
４１０  係止窓
４１１  腕押上部
４１２  飛出規制部
５００  ケーシング
５００  ハウジング
５０１  第２保持ホルダ係合部
５０２  ハウジング本体部
５０３  ホルダ挿着部
５０４  突起
５１０  側面片
５１１  腕部
５１２  手部
５１３  突起
５１４  斜面
【図１】
2006317496.tif 000003
【図２】
2006317496.tif 000004
【図３】
2006317496.tif 000005
【図４】
2006317496.tif 000006
【図５】
2006317496.tif 000007
【図６】
2006317496.tif 000008
【図７】
2006317496.tif 000009
【図８】
2006317496.tif 000010
【図９】
2006317496.tif 000011